(57)【要約】【課題】使用感を向上させることができるだけでなく、陰茎を、下腹部や陰嚢から離間させて保持することができ、しかも、容易に陰茎を露出させて、排尿姿勢をとらせることができ、さらに、スポーツウエア等のアウターパンツとして使用することができる男性用パンツを提供する。【解決手段】陰茎７を前後から挟むように設けられる内側当て布部１１と、外側当て布部１２とを備えて構成される陰茎収容部８と、上記陰茎収容部の下方に設けられるとともに、内側から上記陰茎収容部へ陰茎を導入する陰茎導入部１３と、上記陰茎収容部の上方に設けられた排尿用開口部１４とを備えるとともに、上記外側当て布部の上縁部から延出するとともに、上記排尿用開口部を封止する封止部材１８を備え、少なくとも上記外側当て布部が伸縮自在な弾性布材料から形成されているとともに、上記封止部材の上縁部を上記胴部開口部の縁部近傍に対して着脱可能に係止する係止部３０を備えて構成される。【選択図】図１
2014224332.tif 000002
【特許請求の範囲】
【請求項１】
左右脚部が通挿される一対の脚部開口部と、胴部が通挿される胴部開口部とを備える男性用パンツであって、
陰茎を前後から挟むように設けられる内側当て布部と、外側当て布部とを備えて構成される陰茎収容部と、
上記陰茎収容部の下方に設けられるとともに、内側から上記陰茎収容部へ陰茎を導入する陰茎導入部と、
上記陰茎収容部の上方に設けられた排尿用開口部と、
上記外側当て布部の上縁部から延出するとともに上記排尿用開口部を封止する封止部材を備え、
少なくとも上記外側当て布部が伸縮自在な弾性布材料から形成されているとともに、
上記封止部材の上縁部を上記胴部開口部の縁部近傍に対して着脱可能に係止する係止部を備える、男性用パンツ。
【請求項２】
上記係止部は、上記封止部材の上縁部を上記胴部開口部の縁部、又はその近傍に係止する係止部材を備えて構成されている、請求項１に記載の男性用パンツ。
【請求項３】
上記係止部材は、上記封止部材の上縁部に設けられるとともに、上記胴部開口部の内縁部に折り込んで係止する折り込み片を備えて構成されている、請求項２に記載の男性用パンツ。
【請求項４】
上記係止部材は、面ファスナーを備えて構成されている、請求項２又は請求項３に記載の男性用パンツ。
【請求項５】
上記陰茎の括れ部に弾性的に係合される環状部と、
下端部が上記環状部の側部に連結されるとともに、斜め上方に延出して上端部が上記外側当て布部の上縁部又は上記封止部材にそれぞれ連結された一対の紐状部とを備え、
上記陰茎収容部において陰茎を上方に向けて保持するとともに、上記外側当て布部及び上記封止部材を捲ることにより、上記陰茎の少なくとも先端部を排尿可能に露出させることができる位置決め保持機構を備える、請求項１がら請求項４のいずれか１項に記載の男性用パンツ。
【請求項６】
上記位置決め保持機構は、上記環状部の高さ位置と、上記環状部の内径を調節できるように構成されている、請求項５に記載の男性用パンツ。
【請求項７】
上記位置決め保持機構は、両端部が上記外側当て布部の上縁部又は上記封止部材に止着された一本の弾性紐状部材を備えて構成されており、
上記男性紐状部材の少なくとも一端部の止着位置が調節可能に保持されているとともに、
中間部を位置調節可能に止着して上記環状部を形成する止着部材が設けられている、請求項５又は請求項６に記載の男性用パンツ。
【請求項８】
上記封止部材の封止を解除するとともに、外側当て布部の開口縁部、封止部材又は上記一対の紐状部を操作することにより、露出された陰茎の排尿方向を調節できるように構成されている、請求項５から請求項７のいずれか１項に記載の男性用パンツ。
【発明の詳細な説明】
【技術分野】
【０００１】
本願発明は、男性用パンツに関する。詳しくは、容易に排尿を行うことができ、陰茎を所定位置に保持することにより通気性が良く、さらに、スポーツ用等のアウターパンツとしても使用できる男性用パンツを提供する。
【背景技術】
【０００２】
下着を含む従来の男性用パンツは、脚部を通挿する左右一対の脚部開口部と、胴部を通挿する胴部開口部とを備え、前身頃に陰茎を露出させて排尿を行う窓部が設けられている。
【０００３】
特に、下着用途に用いられるパンツにおいては、上記窓部は、着用者の下腹部に当接する内側当て布部と外側当て布部とを備える二重構造に形成されており、外側当て布部の右側に上下方向に延びるとともに、右方向に開口する上記窓部が設けられている。
【０００４】
排尿は、陰茎を上記内側当て布部と外側当て布部の間に通挿するとともに、上記外側当て布部の縁部を捲って上記窓部から露出させることにより行われる。
【０００５】
上記従来の男性用下着では、まず、外側当て布部を捲り、次に内側当て布部を捲って陰茎を手指を用いて窓部から引き出す必要があった。すなわち、２回の捲り動作が必要であり、しかも、陰茎を便器に向けて位置決めしてから排尿する必要がある。このため、片手で操作するのは困難である。また、上記窓部は、右方向に開口されているため、左手では扱いにくい。特に、手指に障害のある身体障害者は、上記操作を行うのは非常に困難である。
【０００６】
また、前身頃に上下方向に延びる窓部が形成されているため、伸縮性の素材から下着を構成した場合、上記窓部が左右に引っ張られて窓部が開口したり、下着前部が変形して見栄えが低下するという問題があった。このため、伸縮性のある布材料を用いて形成されたスパッツ等のスポーツ用のアウターパンツにおいては、排尿用の上記窓部が設けられていない場合も多い。
【先行技術文献】
【特許文献】
【０００７】
【特許文献１】特許第３３８２１６６号公報
【０００８】
上記特許文献１には、窓部を、内側当て布部の上縁部と、外側当て布部の下縁部とから構成することにより、左右方向に延びるとともに上方向に開口するように構成した開口部を備える男性用下着が開示されている。上記構成によって、いずれの側の手指を用いても陰茎を引き出すことができるため、右利き、左利きの別を問わず操作性が向上する。
【０００９】
また、内側当て布部と外側当て布部の左右両側部に、Ｖ字状のそけい部弾性部材が配置されている。上記そけい部弾性部材に沿ってテンションをかけることにより、陰茎への締め付けがなくなり、着用感が向上するとしている。
【発明の概要】
【発明が解決しようとする課題】
【００１０】
上記特許文献に記載されている男性用下着では、陰茎は、上記外側当て布部と下腹部との間に収容保持される。したがって、陰茎が下腹部や陰嚢に接触した状態で保持されることになる。このため、陰茎と、下腹部や陰嚢との皮膚接触部分に汗が溜まりやすく、使用感が良いとは言えなかった。また、上記そけい部弾性部材が設けられるため脚部開口部との間の通気性が低くなる。このため、陰茎を収容した空間の通気性が低くなり、蒸れるといった問題もあった。
【００１１】
また、左右方向に延びる窓部から陰茎を露出させることができるように構成されているため、右利き、左利きを問わずに操作することができる。しかしながら、陰茎を露出させるためには、外側当て布部と内側当て布部から形成される開口部に手指を挿入して、陰茎を引き出す必要がある。すなわち、従来の横開きの窓部とほぼ同様の手順で、外側当て布部と内側当て布部とを開く必要があった。このため、操作性が良いとはいえない。また、片手で、陰茎を窓部から引き出すことができたとしても、外側当て布部を捲りながら陰茎を位置決めして排尿姿勢をとらせるのは困難である。
【００１２】
さらに、上記そけい部弾性部材を設けることにより、陰茎等の収まりを良くできるとともに、陰茎に上記弾性部材の弾性が直接作用しないように構成することができる。ところが、上記そけい部弾性部材の弾力は、使用者の脚部のつけ根に作用するため、体格によっては脚部の付け根が締め付けられて、使用感が低下する場合もある。
【００１３】
しかも、上記構造では、開口部が露出しているため、スポーツウエア等のアウターパンツとして使用するのは抵抗がある。
【００１４】
本願発明は、上記従来の問題を解決し、使用感を向上させることができるだけでなく、陰茎を、下腹部や陰嚢から離間させて保持することができ、しかも、容易に陰茎を露出させて、排尿姿勢をとらせることができ、さらに、スポーツウエア等のアウターパンツとして使用することができる男性用パンツを提供することを課題としている。
【課題を解決するための手段】
【００１５】
本願発明は、左右脚部が通挿される一対の脚部開口部と、胴部が通挿される胴部開口部とを備える男性用パンツであって、陰茎を前後から挟むように設けられる内側当て布部と、外側当て布部とを備えて構成される陰茎収容部と、上記陰茎収容部の下方に設けられるとともに、内側から上記陰茎収容部へ陰茎を導入する陰茎導入部と、上記陰茎収容部の上方に設けられた排尿用開口部とを備えるとともに、上記外側当て布部の上縁部から延出するとともに、上記排尿用開口部を封止する封止部材を備え、少なくとも上記外側当て布部が伸縮自在な弾性布材料から形成されているとともに、上記封止部材の上縁部を上記胴部開口部の縁部近傍に対して着脱可能に係止する係止部を備えて構成される。
【００１６】
本願発明に係る男性用パンツにおいては、陰茎を前後から挟むように配置される内側当て布部及び外側当て布部を備える陰茎収容部が設けられる。陰茎は、上記陰茎収容部の下端部に設けられた陰茎導入部から上方に向けて、内外当て布部と外側当て布部の間に挟まれるようにして収容保持される。
【００１７】
上記内側当て布部は、使用者の下腹部と陰茎との間に介挿されるため、陰茎と下腹部とが直接接触することはない。また、陰茎を上方に向けて保持するように構成されているため、陰茎と陰嚢とが接触することもない。したがって、陰茎と、下腹部や陰嚢との接触部位に汗が溜まることはなく、使用感が良くなる。
【００１８】
上記陰茎収容部の上方には、陰茎を露出させて排尿姿勢をとらせる排尿用開口部が設けられている。また、少なくとも、上記外側当て布部は、伸縮自在な弾性布材料から形成されている。陰茎は、上記内側当て布部と上記外側当て布部の間に保持されているため、上記外側当て布部を外側へ捲るだけで、陰茎を露出させることができる。したがって、片手で陰茎を露出させることができる。
【００１９】
本願発明では、上記外側当て布部の上縁部から延出するとともに、上記排尿用開口部を封止する封止部材を備える。上記封止部材は、上縁部が上記係止部を介して、上記胴部開口部の縁部近傍に対して着脱可能に係止される。
【００２０】
上記封止部材の形態は特に限定されることはない。たとえば、上記排尿用開口部と同じ幅方向寸法で延出する形態で構成することができる。また、上記封止部材を構成する材料も特に限定されることはない。たとえば、上記外側当て布部と同様の伸縮性のある布材料から形成するのが好ましい。
【００２１】
上記係止部の構成も特に限定されることはない。たとえば、上記係止部を、上記封止部材の上縁部に上記胴部開口部の内縁部に折り込んで係止する折り込み片を備えて構成することができる。この場合、上記係止部と上記内縁部との間にゴムシート等を介挿してこれら部材間の摩擦力を高めるように構成することができる。また、これら部材間に面ファスナーを設けて、封止部材を確実に係止できるように構成することもできる。
【００２２】
上記封止部材及び係止部を設けることにより、上記排尿用開口部を確実に封止することができる。また、外側当て布部を上方向に引き上げる力を作用させることができるため、陰茎収容部の形態を見栄え良く保持することが可能となる。このため、アウターパンツとして使用することも可能となる。
【００２３】
就寝姿勢等の静止状態では、陰茎を陰茎収容部内に収納保持することができるが、歩行やランニング等の運動をする場合、陰茎が下方に変位して、上記陰茎収容部から抜け出る恐れがある。また、陰茎の収容姿勢が一定でないと、上記外側当て布部を捲るだけでは、陰茎を露出させて排尿姿勢をとらせるのは困難である。
【００２４】
上記不都合を回避するため、陰茎を係止して位置決め保持できる位置決め保持機構が設けられる。上記位置決め保持機構は、上記外側当て布部と内側当て布部との間に設けられる。これにより、陰茎を上記外側当て布部と内側当て布部の間の所定位置に位置決めして保持できる。したがって、外側当て布部を捲ることにより、陰茎を上記排尿用開口部から確実に露出させることができる。また、陰茎に直接触れることなく、排尿を行うことができるため、介護用のパンツとしても好適である。
【００２５】
上記位置決め保持機構の構成は特に限定されることはない。たとえば、上記陰茎の括れ部に弾性的に係合される環状部と、下端部が上記環状部の側部に連結されるとともに、斜め上方に延出して上端部が上記外側当て布部の上縁部又は上記封止部材にそれぞれ連結された一対の紐状部とを備えて構成することができる。この構成によると、上記陰茎収容部において陰茎を上方に向けて保持するとともに、上記外側当て布部及び上記封止部材を捲ることにより、上記陰茎の少なくとも先端部を排尿可能に露出させることができる。
【００２６】
上記環状部は、陰茎亀頭部の基端側の括れ部に係止できるように構成される。これにより、上記位置決め保持機構を陰茎に対して確実に装着することができる。また、上記外側当て布部を捲るだけで、上記陰茎が上記一対の紐状部及び上記環状部を介して引き出され、亀頭部を排尿用開口部から確実に露出させることができる。
【００２７】
上記環状部は、陰茎先端部を通挿できるとともに上記括れ部に弾性的に係合して保持できるように構成するのが望ましい。陰茎の先端部には、括れ部を介して亀頭部があるため、上記括れ部を利用して、上記環状部を陰茎に容易に装着することができる。上記環状部は、一対の紐状部を介して上記外側当て布部の上縁部又は上記封止部材に連結するのが好ましい。上記紐状部を設けることにより、陰茎の動きが許容される範囲が広くなる。このため、締め付け感なく陰茎を位置決め保持できる。また、上記括れ部に環状部を装着することにより、仮性包茎を矯正する効果も期待できる。
【００２８】
また、上記位置決め保持機構は、外側当て布部の上縁部又は上記封止部材に連結した一対の紐状部を介して陰茎を所定位置に保持するように構成される。上記一対の紐状部は、下端部が上記環状部にそれぞれ連結されるとともに、斜め上方に延出して上端部が上記外側当て布部の上縁部又は上記封止部材にそれぞれ連結される。この構成を採用すると、上記一対の紐状部を操作することにより、外側当て布部及び封止部材を捲って露出させた陰茎の方向を調節することもできる。上記一対の紐状部は、弾性を有する材料から構成するのが望ましい。
【００２９】
上記位置決め保持機構は、上記環状部の高さ位置と、上記環状部の内径を調節できるように構成するのが好ましい。
【００３０】
たとえば、上記位置決め保持機構の紐状部を、両端部が上記外側当て布部の上縁部又は上記封止部材に止着された一本の弾性紐状部材を備えて構成し、少なくとも一端部の止着位置を調節可能に保持するとともに、中間部を位置調節可能に止着して上記環状部を形成する止着部材を備えて構成することができる。
【００３１】
上記構成を採用することにより、一本の弾性紐状部材から上記位置決め保持機構を構成することができる。しかも、上記環状部の高さ位置と、上記環状部の内径を容易に調節することが可能となる。
【００３２】
上記弾性紐状部材は、外側当て布部の縁部、すなわち排尿用開口部の縁部にゴム紐等を設けた弾性縁部を設け、この弾性縁部に対して連結することができる。この構成によって、水平方向に延びる弾性縁部と、この弾性縁部から下方に延出する弾性紐状部材によって、陰茎を上方に向けて保持することができる。また、上記弾性紐状部材から構成される一対の紐状部を介して陰茎を位置決め保持できるため、陰茎に作用する弾力の大きさを容易に調節することが可能になる。また、陰茎に不快な力が作用するのを防止できるばかりでなく、上記一対の紐状部及び又は上記外側当て布部を操作することにより、陰茎の排尿方向を調節できる。
【００３３】
また、上記一対の紐状部を上記封止部材の適部に連結してもよい。排尿する際には、上記封止部材がまず捲られるため、上記封止部材及び上記一対の紐状部を介して、陰茎を容易に引き出して排尿を行うことができる。
【００３４】
上記位置決め保持機構によって、陰茎に手を触れることなく、片手で陰茎を露出させることが可能となる。また、陰茎に触れることなく片手で排尿方向を調節して位置決めできるのである。このため、衛生的であるばかりでなく、便器を汚すのを防止することも可能となる。しかも、パンツ内で陰茎を所定の方向に向けて保持することができるため、排尿方向におむつの吸収体を配置することにより、おむつから尿が漏れ出るのを防止することが可能となり、介護の分野においても好適である。
【００３５】
また、上記位置決め保持機構を設けることにより、上記陰茎収容部において、陰茎を上方に向けて位置決め保持することができる。これにより、激しいスポーツ等を行う場合であっても、陰茎を上記内側当て布部と上記外側当て布部の間において、上方に向けて確実に保持できる。
【００３６】
上記一対の紐状部を外側当て布部の上縁部に連結すると、上記環状部を介して陰茎を上方から吊るすようにして位置決め保持される。このため、上記陰茎を保持するための力が、上記一対の紐状部を介して上記外側当て布部の上縁部に作用し、外側当て布部の縁部を下方に変位させて見栄えが低下する恐れがある。本願発明では、上記外側当て布部の上縁部から上記封止部材が延出されるとともに、上記封止部材の上縁部が胴部開口部の縁部近傍に係止されるため、上記問題も発生することがない。このため、外観見栄えよく陰茎を収容することが可能となる。さらに、上記封止部材が設けられているため、上記排尿用開口部が露出することもなく、排尿用開口部が不用意に開くこともない。したがって、スポーツ用のスパッツ等のアウター用のパンツとして利用することも可能となる。
【発明の効果】
【００３７】
使用感を向上させることができるだけでなく、外観見栄えを向上させることが可能となり、アウター用パンツとしても使用することができる。
【図面の簡単な説明】
【００３８】
【図１】本願発明に係る男性用下着の第１の実施形態に係る正面図である。
【図２】図１における、ＩＩ−ＩＩ線に沿う断面図である。
【図３】図１における、III −III 線に沿う断面図である。
【図４】係止部による係止状態を解除した正面図である。
【図５】封止部を前方に捲った状態を示す正面図である。
【図６】図５におけるＶＩ−ＶＩ線に沿う断面図である。
【図７】陰茎を露出させた状態を示す断面図である。
【図８】位置決め保持機構の作用を示す図である。
【図９】位置決め保持機構の作用を示す図である。
【図１０】止着部材を示す平面図である。
【図１１】本願の第２の実施形態を示す正面図である。
【図１２】図１１におけるＸＩＩ−ＸＩＩ線に沿う断面図である。
【図１３】本願の第３の実施形態を示す正面図である。
【図１４】図１３におけるＸＩＶ−ＸＩＶ線に沿う断面図である。
【発明を実施するための形態】
【００３９】
以下、本願発明の実施形態を図に基づいて具体的に説明する。
【００４０】
図１から図１０に、本願発明に係る男性用パンツの第１の実施形態を示す。この実施形態は、本願発明をアウター用のスパッツタイプの男性用パンツ１に適用したものである。なお、トランクスタイプやブリーフタイプの下着パンツに本願発明を適用することもできる。
【００４１】
図１に示すように、男性用パンツ１は、使用者の左右脚部が通挿される一対の脚部開口部２，３と、使用者の胴部が通挿される胴部開口部４とを備えて構成されている。上記胴部開口部４の縁部には、ゴムが折り込まれた弾性部材が設けられている。
【００４２】
本実施形態では、正面中央部に、陰茎７を収容する陰茎収容部８が設けられている。上記陰茎収容部８は、正面視逆山形状に形成されている。図２に示すように、上記陰茎収容部８は、使用者９の下腹部１０と陰茎７との間に配置される内側当て布部１１と、上記内側当て布部１１の外側に配置される外側当て布部１２とを備えて構成される。上記内側当て布部１１と上記外側当て布部１２の側部が縫合されることにより、正面視逆山形状の陰茎収容部８が構成される。図３に示すように、上記陰茎収容部８の下縁部は男性用パンツ１の内側に開口されており、使用者の陰茎７を上記陰茎収容部８に導入する陰茎導入部１３が設けられている。なお、図３では、理解を容易にするために陰茎収容部８を空間として描いているが、スパッツ等のスポーツ用のパンツにおいては、上記内側当て布部１１と上記外側当て布部１２とを、密着するように構成することもできる。
【００４３】
上記内側当て布部１１と外側当て布部１２は、弾性伸縮しうる布材料から形成されている。少なくとも上記外側当て布部１２は、１００％以上の伸縮性のある布材料から形成するのが望ましい。
【００４４】
一方、上記陰茎収容部８の上縁部は外部に開口されており、上記陰茎７の少なくとも一部を露出させて、排尿させる排尿用開口部１４が設けられている。上記排尿用開口部１４の縁部には、ゴム紐が折り込まれた弾性縁部１５が設けられている。
【００４５】
本実施形態では、上記外側当て布部１２の上縁部から延出するとともに、上記排尿用開口部１４を封止する封止部材１８が設けられている。上記封止部材１８は、上縁部が係止部３０を介して、上記胴部開口部４の縁部近傍に対して着脱可能に係止される。
【００４６】
上記封止部材１８の形態は特に限定されることはない。たとえば、上記排尿用開口部１４と同じ幅方向寸法で上方に延出するように構成することができる。また、上記封止部材１８を構成する材料も特に限定されることはないが、上記外側当て布部１２と同様の伸縮性のある布材料から形成するのが好ましい。
【００４７】
上記係止部３０の構成も特に限定されることはない。たとえば、上記係止部３０を、上記封止部材１８の上縁部に上記胴部開口部４の内縁部６に折り込んで係止する折り込み片１９を備えて構成することができる。この場合、上記折り込み片１９と上記内縁部６との間にゴムシート等を介挿してこれら部材間の摩擦力を高めるように構成することができる。また、図３〜図５に示すように、これら部材間に面ファスナー２０，２１を設けてこれら部材を確実に係止できるように構成することもできる。さらに、スポーツ用のスパッツ等では、胴部開口部の縁部に紐部材が設けられるとともち、前方内側部から延出させて結束し、ウエスト寸法を調節できるように構成されている。上記構成を採用することにより、上記結束部を使用者の皮膚表面から離間して保持することが可能となり、結束部が皮膚に食い込んで痛みを感じたり、皮膚を傷つける恐れもなくなる。
【００４８】
上記陰茎収容部８には、収容された陰茎７を、上向きに保持する位置決め保持機構１６が設けられている。図１に示すように、上記位置決め保持機構１６は、陰茎７の括れ部に弾性的に係合される環状部２６と、下端部が上記環状部２６の側部に連結されるとともに、斜め上方に延出して上端部が上記外側当て布部１２の上縁部又は上記封止部材１８にそれぞれ連結される一対の紐状部２７，２７とを備えて構成される。
【００４９】
上記位置決め保持機構１６は、上記陰茎収容部８において陰茎７を上方に向けて保持するとともに、上記外側当て布部１２及び上記封止部材１８を捲ることにより、上記陰茎７の少なくとも先端部を排尿可能に露出させることができるように構成されている。
【００５０】
本実施形態では、上記位置決め保持機構１６の一対の紐状部２７，２７は、弾性のある１本の弾性紐状部材１７から構成されている。図８から図１０に示すように、上記弾性紐状部材１７の一端部（図８及び図９における左側端部）は、上記外側当て布部１２の上縁部に縫着されている。一方、他端部（図８及び図９における右側端部）は、上記外側当て布部の上縁部に、第１の止着部材２８を介して止着位置を調節できるように保持されている。また、上記弾性紐状部材１７には、中間位置で対向する部分を位置調節可能に止着して上記環状部２６を形成する第２の止着部材２５が設けられている。
【００５１】
上記第１の止着部材２８を、上記外側当て布部１２の上縁部に、一方の紐状部２７を摩擦力をもって係止できる通挿孔を備えて構成することができる。本実施形態では、縫着部に上記弾性紐状部材１７の直径より小さい通挿孔を構成する第１の止着部材２８を設け、上記弾性紐状部材１７の一端部を所望の位置で止着できるように構成している。また、上記第２の止着部材２５も、同様に摩擦力をもって、上記弾性紐状部材１７の中間部を止着し、上記環状部２６の内径を調節できるように構成されている。本実施形態では、上記第２の止着部材２５は、一本の弾性紐体２５ａから構成されており、上記弾性紐体２５ａを曲折して一対の通挿部２５ｂ，２５ｂを形成するとともに、中央部に縫着部２５ｃを設けて構成している。上記通挿部２５ｂ，２５ｂの内径を、上記弾性紐状部材１７の直径より小さく設定することにより、上記弾性紐状部材を摩擦力をもって係止することができる。
【００５２】
上記第１の止着部材２８における止着位置を調節することにより、上記環状部２６の高さ位置を調節できる。また、上記第２の止着部材２５における止着位置を調節することにより、上記環状部２６の内径を調節することができる。
【００５３】
上記構成を採用することにより、一本の弾性紐状部材１７によって上記位置決め保持機構を構成することができる。しかも、上記環状部２６の高さ位置と、上記環状部２６の内径を容易に調節することが可能となる。
【００５４】
図４から図７に、上記陰茎７を露出させるとともに排尿姿勢をとらせる手順を示す。
【００５５】
図４に示すように、まず、上記封止部材１８の上縁部に設けた面フアスナー２０と、上記胴部開口部４の内縁部６に設けた面フアスナー２１とを離間させ、使用者の下腹部１０と上記内縁部６との間に折り込まれた折り込み片１９を広げる。次に、図５及び図６に示すように、上記封止部材１８を、下方に折り返すように捲る。さらに、上記封止部材１８を下方に引き下げると、図７に示すように、陰茎の亀頭部７ａが、上記排尿用開口部１４から露出させることができる。上記外側当て布部１２は、弾性伸縮する布材料から形成されているため、容易に変形させることができる。また、上記弾性紐状部材１７は、陰茎の亀頭部７ａの基端側に装着されている。このため、上記外側当て布部１２を下方に捲ると、上記弾性紐状部材１７（一対の紐状部）を介して陰茎を引き出すことができる。
【００５６】
上記状態で、さらに、上記外側当て布部１２あるいは上記封止部材１８を下方に引くと、亀頭部７ａを正面方向あるいは斜め下方に向けることができる。また、上述したように、上記各操作は、上記外側当て布部１２あるいは上記封止部材１８を捲り、また変位させることにより行われる。したがって、陰茎７に触れることなく、陰茎７を露出させ、排尿姿勢をとらせて排尿することができる。
【００５７】
排尿が終了した後、上記外側当て布部１２あるいは上記封止部材１８から手指を放すと、上記外側当て布部１２及び上記弾性縁部１５の弾性によって、図６に示す姿勢に自動的に戻される。
【００５８】
上記構成の男性用パンツ１においては、使用者の下腹部１０と陰茎７との間に、内側当て布部１１が介挿されているため、陰茎７が使用者の下腹部や陰嚢に触れることはない。しかも、上記排尿用開口部１４が上方に開口し、さらに、上記封止部材１８が両側部が開口するように形成されているため通気性もよい。このため、上記陰茎７と、下腹部や陰嚢との間に汗が溜まる恐れもない。したがって、使用感の良い男性用パンツ１を構成できる。
【００５９】
しかも、図７に示すように、上記外側当て布部１２及び上記封止部材１８を捲ることにより、陰茎７に直接手指を触れることなく露出させ、しかも、上記外側当て布部１２あるいは上記封止部材１８を前後左右に操作するだけで、陰茎７を所要の方向に向けて排尿姿勢をとらせることができる。このため、陰茎に手指を触れることなく排尿姿勢を取らせることができるため、非常に衛生的である。また、上記外側当て布部１２を操作することにより、排尿方向を容易に調整することができる。このため、トイレを汚す恐れも少ない。
【００６０】
図１１及び図１２に、本願発明の第２の実施形態を示す。この実施形態は、係止部１３０を、一対のスナップボタン１２０，１２１を備えて構成したものである。また、上記スナップボタン１２０，１２１は、上記封止部１１８の上縁部と、上記胴部開口部１０４の縁部外側１３６に設けている。
【００６１】
上記スナップボタン１２０，１２１を着脱することにより、第１の実施形態と同様の作用効果を発揮させることができる。また、この構成を採用すると、封止部１１８の上縁部に折り込み片を設ける必要がなくなる。一方、面フアスナーに比べてスナップボタンの係止力は弱いが、下着等のスポーツ用途以外のパンツにおいては十分な係止力を発揮させることができる。なお、スナップボタン１２０，１２１の数は特に限定されることはなく、所要の係止力を発揮できる数を設ければよい。
【００６２】
図１３及び図１４に、本願発明の第３の実施形態を示す。この実施では、第１の実施形態と同様に、係止部２３０として、３組の面ファスナー２２０，２２１を採用している。一方、上記面ファスナー２２０，２２１は、上記第２の実施形態と同様に、上記封止部２１８の上縁部と、上記胴部開口部２０４の縁部外側２３６に設けている。
【００６３】
上記第３の実施形態においては、片手で上記面ファスナー２２０，２２１を着脱することができるため、第１の実施形態と同様の作用効果を発揮させることができる。
【００６４】
本願発明は、上述の実施形態に限定されることはない。実施形態は、本願発明をアウター用の男性用パンツに適用したが、ブリーフタイプやトランクスタイプ等他の形態の男性用下着やパンツに適用することができる。
【産業上の利用可能性】
【００６５】
使用感を向上させることができるだけでなく、陰茎を所定位置に位置決め保持することができ、しかも、下着を外側から操作するだけで陰茎を露出させて排尿姿勢をとらせることができる、男性用パンツを提供できる。
【符号の説明】
【００６６】
１    男性用パンツ
２    脚部開口部
３    脚部開口部
４    胴部開口部
７    陰茎
７ａ  亀頭部
８    陰茎収容部
９    使用者
１０    下腹部
１１    内側当て布部
１２    外側当て布部
１３    陰茎導入部
１４    排尿用開口部
１５    弾性縁部
１６    位置決め保持機構
１７    弾性紐状部材
１８    封止部材
１９    折り込み片
２０    面ファスナー
２１    面ファスナー
２５    第２の止着部材
２６    環状部
２７    紐状部
２８    第１の止着部材
３０    係止部
【図１】
2014224332.tif 000003
【図２】
2014224332.tif 000004
【図３】
2014224332.tif 000005
【図４】
2014224332.tif 000006
【図５】
2014224332.tif 000007
【図６】
2014224332.tif 000008
【図７】
2014224332.tif 000009
【図８】
2014224332.tif 000010
【図９】
2014224332.tif 000011
【図１０】
2014224332.tif 000012
【図１１】
2014224332.tif 000013
【図１２】
2014224332.tif 000014
【図１３】
2014224332.tif 000015
【図１４】
2014224332.tif 000016